(57)【要約】【課題】落下等の衝撃を受けたときに、レバーシフト側端のガイド片がローダーシャーシ内面のガイド溝から外れて、トラバースシャーシの上下回動動作や光ディスクのチャック動作に支障が出るのを防止できる光ディスク装置を提供する。【解決手段】ボス部１０ａ，１０ｂが形成されたレバーシフト１０をトラバースシャーシ２の前端部の下面側に取付け、レバーシフト側端のガイド片１３，１４をローダーシャーシ２内面のガイド溝１５，１６に上下摺動可能に挿入した光ディスク装置において、レバーシフト１０の撓み変形に伴うガイド片１３のローダーシャーシ内方への偏位を規制するガイド片偏位規制手段Ｍを設ける。ガイド片偏位規制手段Ｍによってガイド片１３のローダーシャーシ内方への偏位を規制し、ガイド片１３がガイド溝１５から外れるのを防止する。【選択図】図１
2008071427.tif 000002
【特許請求の範囲】
【請求項１】
光ピックアップとターンテーブルが搭載されたトラバースシャーシをその後端部でローダーシャーシに上下回動可能に取付け、前方へ突き出すボス部が形成されたレバーシフトをトラバースシャーシの前端部の下面側に取付けると共に、レバーシフトのボス部を挿入するカム溝が形成されたカムスライダーをローダーシャーシの前枠部にスライド可能に取付け、レバーシフト側端のガイド片をローダーシャーシ内面のガイド溝に上下摺動可能に挿入した光ディスク装置において、
上記レバーシフトの撓み変形に伴う上記ガイド片のローダーシャーシ内方への偏位を規制するガイド片偏位規制手段として、上記ガイド片の先端から係合部を直角に突設して、上記ガイド片をＬ形又はＴ形の断面を備えたガイド片に形成すると共に、上記ガイド片がローダーシャーシ内方へ偏位を開始したときに上記係合部と係合される被係合部を上記ガイド溝の側縁から内側へ突設して、上記ガイド溝を上記ガイド片に対応するＬ形又はＴ形の断面空間を備えたガイド溝に形成したことを特徴とする光ディスク装置。
【請求項２】
光ピックアップとターンテーブルが搭載されたトラバースシャーシをその後端部でローダーシャーシに上下回動可能に取付け、前方へ突き出すボス部が形成されたレバーシフトをトラバースシャーシの前端部の下面側に取付けると共に、レバーシフトのボス部を挿入するカム溝が形成されたカムスライダーをローダーシャーシの前枠部にスライド可能に取付け、レバーシフト側端のガイド片をローダーシャーシ内面のガイド溝に上下摺動可能に挿入した光ディスク装置において、
上記レバーシフトの撓み変形に伴う上記ガイド片のローダーシャーシ内方への偏位を規制するガイド片偏位規制手段を設けたことを特徴とする光ディスク装置。
【請求項３】
上記ガイド片偏位規制手段として、上記ガイド片に係合部を設けると共に、上記ガイド片がローダーシャーシ内方へ偏位を開始したときに上記係合部と係合される被係合部を上記ガイド溝に設けたことを特徴とする請求項２に記載の光ディスク装置。
【発明の詳細な説明】
【技術分野】
【０００１】
本発明は、ＣＤ，ＤＶＤなどの光ディスク装置に関し、特に、梱包して運搬する際に落下するようなことがあっても、落下時の衝撃でレバーシフト側端のガイド片がローダーシャーシ内面のガイド溝から外れないように改良した光ディスク装置に関する。
【背景技術】
【０００２】
従来のＤＶＤなどの一般的な光ディスク装置は、光ピックアップやターンテーブルを搭載したトラバースシャーシが、その後端部でローダーシャーシに上下回動可能に取付けられており、このトラバースシャーシの前端部の下面側には、前方へ突き出すボス部を形成したレバーシフトが取付固定されている。そして、このレバーシフトのボス部が挿入されるカム溝を形成したカムスライダーが、ローダーシャーシの前縁部に左右スライド可能に取付けられており、レバーシフトの両側端には、ローダーシャーシのガイド溝に上下摺動可能に挿入されるガイド片が形成されている。また、トラバースシャーシの上側にはディスクトレイが配置されて進退自在にローダーシャーシの内側に取付けられており、このディスクトレイの上方に位置してローダーシャーシのブリッジ部に設けられたクランパー保持部にはクランパーが保持されている。そして、上記のローダーシャーシはディスク装置の筐体のボトムシャーシに固定され、ディスクトレイの出入口が筐体のフロントパネルに設けられている。
【０００３】
このような光ディスク装置では、光ディスクをディスクトレイに載置して筐体のフロントパネルの出入口からターンテーブルとクランパーの間に送り込むと、カムスライダーが一方向にスライドしてレバーシフトと共にトラバースシャーシが上向きに回動し、光ディスクがターンテーブルとクランパーに挟持されて回転する。すると、光ピックアップがトラック方向（ターンテーブルに向かう方向）に移動しながらレーザービームを光ディスクに照射し、記録・再生が行われる。そして、記録・再生が終わると、カムスライダーが逆方向にスライドして、レバーシフトと共にトラバースシャーシが下向きに回動し、光ディスクがディスクトレイに載置されて筐体の出入口から取り出される。
【０００４】
このような光ディスク装置は、ディスクトレイをローダーシャーシの内部へ挿入した状態、即ち、トラバースシャーシがレバーシフトと共に上向きに回動してレバーシフトのボス部がカムスライダーのカム溝内にロックされた状態で梱包されて運搬されるが、この運搬時に誤って落下するようなことがあると、レバーシフト側端のガイド片がローダーシャーシ内面のガイド溝から外れ、トラバースシャーシの上下回動動作や光ディスクのチャック動作に支障をきたすことが多々あった。その原因を調べた結果、レバーシフトのボス部がカムスライダーのカム溝内にロックされた状態で落下の衝撃を受けると、レバーシフトの端部がボス部を支点として下方へ撓み変形し、この撓み変形に伴ってレバーシフト側端のガイド片がローダーシャーシの内方に偏位してガイド溝から外れることが判明した。
【０００５】
これに対し、ターンテーブルが取付けられたサブシャーシと、このサブシャーシを上下揺動可能に支持する枠体を備え、枠体から上下ガタを規制する凸軸を外向きに設けると共に、凸軸に横方向のガタつきを防ぐ突起を設けて、外部から衝撃が加わってもサブシャーシを正しく昇降させるようにした光ディスク装置が知られている（特許文献１）。
【０００６】
また、ターンテーブル等を支持するトラバースシャーシと、このトラバースシャーシを回動可能に支持するメインシャーシを備え、トラバースシャーシのボスに突起を設けて、メインシャーシのボス支持部からトラバースシャーシのボスが外れないようにしたディスク装置も知られている（特許文献２）。
【０００７】
更に、ドライブシャーシの回動軸に二つの係止爪を設けて、ドライブシャーシに対してディスク挿入方向と直交する方向に力が加えられたときに、一方の係止爪がメインシャーシ側の係合溝に係止され、他方の係止爪がメインシャーシ側のストッパーに係止されるようにした光ディスク装置も知られている（特許文献３）。
【特許文献１】特開２００３−１９６９５１号公報
【特許文献２】特開２００４−１６４７２１号公報
【特許文献３】特開２００４−２３４７９５号公報
【発明の開示】
【発明が解決しようとする課題】
【０００８】
しかしながら、上記特許文献１〜３の光ディスク装置は、外部から衝撃を受けたときのトラバースシャーシ（サブシャーシ、ドライブシャーシ）のガタツキや脱落を防止することができるとしても、レバーシフトの撓み変形に伴ってレバーシフト側端のガイド片がローダーシャーシの内方へ偏位するのを規制できないものであるため、ガイド片がローダーシャーシのガイド溝から外れるのを防止するための技術的手段として採用できるものではない。
【０００９】
本発明は上記事情の下になされたもので、その解決しようとする課題は、落下等の外部からの衝撃を受けたときに、レバーシフト側端のガイド片がローダーシャーシ内面のガイド溝から外れて、トラバースシャーシの上下回動動作や光ディスクのチャック動作に支障が出るのを防止することができる光ディスク装置を提供することにある。
【課題を解決するための手段】
【００１０】
上記課題を解決するため、本発明に係る光ディスク装置は、光ピックアップとターンテーブルが搭載されたトラバースシャーシをその後端部でローダーシャーシに上下回動可能に取付け、前方へ突き出すボス部が形成されたレバーシフトをトラバースシャーシの前端部の下面側に取付けると共に、レバーシフトのボス部を挿入するカム溝が形成されたカムスライダーをローダーシャーシの前枠部にスライド可能に取付け、レバーシフト側端のガイド片をローダーシャーシ内面のガイド溝に上下摺動可能に挿入した光ディスク装置において、上記レバーシフトの撓み変形に伴う上記ガイド片のローダーシャーシ内方への偏位を規制するガイド片偏位規制手段を設けたことを特徴とするものである。
【００１１】
本発明の光ディスク装置においては、上記ガイド片偏位規制手段として、上記ガイド片に係合部を設けると共に、上記ガイド片がローダーシャーシ内方へ偏位を開始したときに上記係合部と係合される被係合部を上記ガイド溝に設けることが好ましい。
【００１２】
そして、本発明の一層具体化された好ましい光ディスク装置は、光ピックアップとターンテーブルが搭載されたトラバースシャーシをその後端部でローダーシャーシに上下回動可能に取付け、前方へ突き出すボス部が形成されたレバーシフトをトラバースシャーシの前端部の下面側に取付けると共に、レバーシフトのボス部を挿入するカム溝が形成されたカムスライダーをローダーシャーシの前枠部にスライド可能に取付け、レバーシフト側端のガイド片をローダーシャーシ内面のガイド溝に上下摺動可能に挿入した光ディスク装置において、上記レバーシフトの撓み変形に伴う上記ガイド片のローダーシャーシ内方への偏位を規制するガイド片偏位規制手段として、上記ガイド片の先端から係合部を直角に突設して、上記ガイド片をＬ形又はＴ形の断面を備えたガイド片に形成すると共に、上記ガイド片がローダーシャーシ内方へ偏位を開始したときに上記係合部と係合される被係合部を上記ガイド溝の側縁から内側へ突設して、上記ガイド溝を上記ガイド片に対応するＬ形又はＴ形の断面空間を備えたガイド溝に形成したことを特徴とするものである。
【発明の効果】
【００１３】
本発明の光ディスク装置は、トレイクローズの状態、即ち、ディスクトレイがローダーシャーシの内部へ送り込まれてカムスライダーによりトラバースシャーシがレバーシフトと共に上昇（上向きに回動）し、レバーシフトのボス部がカムスライダーのカム溝内にロックされた状態で、落下等の衝撃を受けると、レバーシフトがボス部を支点として下方に撓み変形しようとし、この撓み変形に伴ってレバーシフト側端のガイド片がローダーシャーシの内方に偏位しようとするが、ガイド片の偏位が開始すると、ガイド片偏位規制手段によってガイド片のローダーシャーシー内方への偏位が規制されるため、ガイド片がガイド溝から外れなくなり、トラバースシャーシの上下回動動作や光ディスクのチャック動作に支障をきたす問題が解消される。
【００１４】
特に、ガイド片偏位規制手段として、上記ガイド片に係合部を設けると共に、上記ガイド片がローダーシャーシ内方へ偏位を開始したときに上記係合部と係合される被係合部を上記ガイド溝に設けた光ディスク装置は、レバーシフトの撓み変形の開始によってレバーシフト側端のガイド片がローダーシャーシのガイド溝内を下方に摺動しながらローダーシャーシ内方へ偏位する際に、ガイド片の係合部とガイド溝の被係合部との摺動摩擦によって制動力が働くため、この制動力によってガイド片の下方への摺動がスムーズに抑制されて停止するようになる。
【００１５】
そして、一層具体化された好ましい光ディスク装置のように、ガイド片偏位規制手段として、上記ガイド片の先端から係合部を直角に突設して、上記ガイド片をＬ形又はＴ形の断面を備えたガイド片に形成すると共に、上記ガイド片がローダーシャーシ内方へ偏位を開始したときに上記係合部と係合される被係合部を上記ガイド溝の側縁から内側へ突設して、上記ガイド溝を上記ガイド片に対応するＬ形又はＴ形の断面空間を備えたガイド溝に形成したものは、Ｌ形又はＴ形の断面を備えたガイド片と、これに対応するＬ形又はＴ形の断面空間を備えたガイド溝との係合によって、ガイド片がガイド溝から外れるのを確実に防止できることに加えて、成形金型を少し変更するのみでＬ形又はＴ形の断面を備えたガイド片と、これに対応したＬ形又はＴ形の断面空間を備えたガイド溝を容易に形成することができ、新たにガイド片偏位規制用の別部材を組み込む必要がなく、部品点数や組立工数が増加しないので、製造面及び経済面で有利である。
【発明を実施するための最良の形態】
【００１６】
以下、図面を参照して、本発明の具体的な実施形態を詳述する。
【００１７】
図１は本発明の一実施形態に係る光ディスク装置をそのディスクトレイを省略して示した平面図、図２は同光ディスク装置を裏返しにしてそのトラバースシャーシとディスクトレイを省略して示した斜視図、図３の（ａ）は同光ディスク装置の要部底面図、（ｂ）はその分解図、図４の（ａ）は本発明の他の実施形態に係る光ディスク装置の要部底面図、（ｂ）はその分解図、図５は図３の（ａ）におけるＡ−Ａ線に沿った断面図である。
【００１８】
このディスク装置は、熱可塑性合成樹脂で射出成形されたローダーシャーシ１の内側に、同じく熱可塑性合成樹脂で射出成形されたトラバースシャーシ２を、その後端両側部において取付ネジ３とゴムダンパー４を用いて上下回動可能に取付けたものであり、トラバースシャーシ２の上方にはディスクトレイ（不図示）が配置されて進退自在にメインシャーシ１の内側に取付けられるようになっている。このトラバースシャーシ２には、光ピックアップ５とターンテーブル６が搭載されており、光ピックアップ５は主軸７ａと副軸７ｂに沿ってトラッキング方向、即ち、ターンテーブル６に対し接近、離反自在となっている。
【００１９】
上記のターンテーブル６は、トラバースシャーシ２に搭載されたスピンドルモータ（不図示）の出力軸に固定され、トラバースシャーシ２が上昇したとき、即ち、後端両側部の取付部分を中心として上方に回動したときに、このターンテーブル６とその真上のクランパー８との間に光ディスクの中央開口縁を挟んで光ディスクを回転させるようになっている。このクランパー８は、ディスクトレイを跨ぐようにメインシャーシ１に一体成形されたブリッジ部９の中央のクランパー保持部９ａに回転自在に保持されている。
【００２０】
トラバースシャーシ２の前端部の下面側には合成樹脂製のレバーシフト１０が取付固定されており、このレバーシフト１０には前方へ突き出す長短二つのボス部１０ａ，１０ｂが形成されている。そして、これらのボス部１０ａ，１０ｂが挿入されるカム溝１１ａ，１１ｂを形成した合成樹脂製のカムスライダー１１が、ローダーシャーシ１の前枠部１ａに左右スライド可能に取付けられており、このカムスライダー１１の右端のラックギヤ１１ｃが駆動ピニオンギヤ１２と噛合するようになっている。従って、駆動ピニオンギヤ１２がラックギヤ１１ｃと噛合して回転すると、カムスライダー１１が左右にスライドし、そのカム溝１１ａ，１１ｂに沿ってレバーシフト１０の凸部１０ａ，１０ｂが摺動しながら上下動するため、レバーシフト１０と共にトラバースシャーシ２がその後端両側部の取付部分を支点として、上下に回動するようになっている。この上下回動動作（昇降動作）をスムーズに行わせるために、レバーシフト１０の両側端にはガイド片１３，１４が突設されており、これらのガイド片１３，１４は、ローダーシャーシ１の両側枠部の内面に形成されたガイド溝１５，１６に上下摺動自在に挿入されている。
【００２１】
この光ディスク装置の大きい特徴は、落下衝撃等を受けたときのレバーシフト１０の撓み変形に伴う上記ガイド片のローダーシャーシ１内方への偏位を規制するガイド片偏位規制手段Ｍとして、図３に示すように、レバーシフト１０の一側端のガイド片１３、即ち、この実施形態では副軸７ｂ側のレバーシフト１０の端面に形成したガイド片１３の先端から係合部１３ａを直角に突設して、このガイド片１３をＬ形の断面を備えたガイド片に形成すると共に、このガイド片１３がローダーシャーシ１の内方（矢印Ｘ方向）へ偏位を開始したときに上記係合部１３ａと係合される被係合部１５ａを上記ガイド溝１５の側縁から内側へ突設して、上記ガイド溝１５を上記ガイド片１３に対応するＬ形の断面空間を備えたガイド溝に形成した点にある。
【００２２】
このようなガイド片偏位規制手段Ｍが設けられていると、図５に仮想線で示すように、落下等の衝撃を受けてレバーシフト１０の一側端がボス部１０ａを支点として下方へ撓み変形を開始し、この撓み変形に伴ってレバーシフト１０一側端のガイド片１３がローダーシャーシ１のガイド溝１５内を下方に摺動しながらローダーシャーシ内方（矢印Ｘ方向）へ偏位しようとしても、ガイド片１３の係合部１３ａとガイド溝１５の被係合部１５ａとの係合によってガイド片１３の偏位が規制されると共に、係合部１３ａと被係合部１５ａとの摺動摩擦で制動力が働いてガイド片１３の下方への摺動がスムーズに抑制されて停止する。従って、ガイド片１３はガイド溝１５から外れることがないので、トラバースシャーシ２の上下回動動作や光ディスクのチャック動作に支障をきたす心配が解消される。なお、図３（ａ）は光ディスク装置の要部底面図であり、図５はこの図３（ａ）のＡ−Ａ線断面図であるから、図５においては図面の上側が光ディスク装置の下方となり、上下関係が反対になる。従って、図５に仮想線で示すようにレバーシフト１０の端部が上側に撓んでいることは、実際には光ディスク装置の下方に向かって撓んでいることを表している。
【００２３】
この実施形態の光ディスク装置は、レバーシフト１０の他側端のガイド片１４、即ち、主軸７ａ側のレバーシフト１０の側端部に形成されたガイド片１４がローダーシャーシ１のガイド溝１６から外れないように、該ガイド片１４を下方から支持する支持部を筐体（不図示）の内部に形成しているため、これらのガイド片１４及びガイド溝１６には上記のガイド片偏位規制手段Ｍを設けていないが、筐体内に上記の支持部を形成しない場合には、これらのガイド片１４及びガイド溝１６にも上記のガイド片偏位規制手段Ｍを設けることが望ましい。
【００２４】
また、ガイド片偏位規制手段Ｍとして、図４に示すように、ガイド片１３の先端から係合部１３ａ，１３ｂを直角に反対方向に突設して、ガイド片１３をＴ形の断面を備えたガイド片に形成すると共に、このガイド片１３がローダーシャーシ１内方へ偏位を開始したときに上記係合部１３ａ，１３ｂと係合される被係合部１５ａ，１５ｂを、ローダーシャーシ１のガイド溝１５の両側縁から内側へ突設して、上記ガイド溝１５を上記ガイド片１３に対応するＴ形の断面空間を備えたガイド溝に形成してもよい。このようにすると、衝撃によってガイド片１３がガイド溝１５から外れるのをより確実に防止することができる。
【００２５】
尚、上記の係合部１３ａ，１３ｂの先端は、図３，図４に示すような凸曲面に形成し、ガイド溝１５の側面と線接触するようにして、トラバースシャーシ２が昇降するときの摺動摩擦を軽減させることが好ましい。
【００２６】
以上のような構成の光ディスク装置は、光ディスクをディスクトレイに載せてターンテーブル６とクランパー８との間に送り込むと、カムスライダー１１が一方向（図１では左方向）にスライドして、トラバースシャーシ２がレバーシフト１０と共に上向きに回動し、光ディスクの中央開口縁がターンテーブル６とクランパー８に挟持されて回転しながら、光ピックアップ５からレーザービームが光ディスクに照射されて記録・再生が行われる。そして、記録・再生が終わると、カムスライダー１１が逆方向（図１では右方向）にスライドして、トラバースシャーシ２がレバーシフト１０と共に下向きに回動し、光ディスクがディスクトレイに載置されて取り出される。このようにトラバースシャーシ２が上下に回動するときは、レバーシフト１０の撓みによってガイド片１３，１４がローダーシャーシ内方へ偏位することがなく、ガイド片１３，１４は小さな摩擦でガイド溝１５，１６内を上下に摺動するため、トラバースシャーシ２がスムーズに正しく昇降動作する。
【００２７】
そして、この光ディスク装置は、ディスクトレイをローダーシャーシ１の内部へ挿入したトレイクローズの状態、即ち、トラバースシャーシ２がレバーシフト１０と共に上向きに回動してレバーシフト１０のボス部１０ａ，１０ｂがカムスライダー１１のカム溝内１１ａ，１１ｂにロックされた状態で運搬される際に誤って落下するようなことがあっても、既述したように、衝撃を受けたレバーシフト１０の撓みに伴うガイド片１３のローダーシャーシ１内方への偏位が、ガイド片偏位規制手段Ｍによって規制され、ガイド片１３がガイド溝１５から外れることがないため、トラバースシャーシ２の上下回動動作や光ディスクのチャック動作に支障をきたす心配がなくなるといった顕著な効果を奏する。
【図面の簡単な説明】
【００２８】
【図１】本発明の一実施形態に係る光ディスク装置をそのディスクトレイを省略して示した平面図である。
【図２】同光ディスク装置を裏返しにしてそのトラバースシャーシとディスクトレイを省略して示した斜視図である。
【図３】（ａ）は同光ディスク装置の要部底面図、（ｂ）はその分解図である。
【図４】（ａ）は本発明の他の実施形態に係る光ディスク装置の要部底面図、（ｂ）はその分解図である。
【図５】図３の（ａ）におけるＡ−Ａ線に沿った断面図である。
【符号の説明】
【００２９】
１    ローダーシャーシ
１ａ  ローダーシャーシの前枠部
２    トラバースシャーシ
５    光ピックアップ
６    ターンテーブル
８    クランパー
１０  レバーシフト
１０ａ，１０ｂ  レバーシフトの凸部
１１  カムスライダー
１１ａ，１１ｂ  カム溝
１３，１４  ガイド片
１３ａ，１３ｂ  係合部
１５，１６  ガイド溝
１５ａ，１５ｂ  被係合部
Ｍ    ガイド片偏位規制手段
【図１】
2008071427.tif 000003
【図２】
2008071427.tif 000004
【図３】
2008071427.tif 000005
【図４】
2008071427.tif 000006
【図５】
2008071427.tif 000007